(57)【要約】【課題】  発電室内に二酸化炭素が充満している場合においても、発電室の外部から外気を取り入れて発電機に供給することにより発電を継続可能にする。【解決手段】  発電設備１は、エンクロージャ２内に発電機３、エンジン４、ラジエータ５、ファン６等を内臓した発電装置１１を発電室１２内に設置すると共に該発電室１２内に火災検知機１３を配置し、該火災検知機１３が火災を検知したときに二酸化炭素噴射装置の複数のノズル１４…１４から二酸化炭素を前記発電室１２内に噴射して迅速に火を消すことができるようになっている。エンジン４の吸気部４ａには吸気ダクト２１が接続されている。前記吸気ダクト２１は、前記エンクロージャ２の周壁２ａおよび前記発電室１２の天井１２ａを貫通して、その先端の吸気口２１ａが前記発電室１２の屋外に配置されている。【選択図】  図１
2006194226.tif 000002
【特許請求の範囲】
【請求項１】
エンクロージャ内に発電機、エンジン、ラジエータを内臓した発電装置を発電室内に設置した発電設備において、
前記エンジンの吸気部には吸気ダクトが接続されていて、該吸気ダクトは、前記エンクロージャおよび発電室を貫通し、先端の吸気口が前記発電室の屋外に配置されていることを特徴とする発電設備。
【請求項２】
前記発電室内には、火災検知機および該火災検知機が火災を検知したときに二酸化炭素を前記発電室内に噴射する二酸化炭素噴射装置を備えていることを特徴とする請求項１に記載の発電設備。
【請求項３】
前記エンジンの吸気口から吸い込んだ外気を濾過するエアーフィルタを前記エンクロージャの外部に配置したことを特徴とする請求項１または請求項２に記載の発電設備。
【発明の詳細な説明】
【技術分野】
【０００１】
本発明は、発電室内に二酸化炭素が充満したような場合でも、該発電室内に充満した二酸化炭素の影響を受けずに発電室内に配置されている発電機のエンジンを継続的に稼動させることのできるようにした発電設備に関するものである。
【背景技術】
【０００２】
防火対策を施した発電設備として、図３に示すように、エンクロージャ１０１内に発電機１０２、エンジン１０３、ラジエータ１０４、ファン１０５等を内臓した発電装置１１１を発電室１１２内に設置すると共に該発電室１１２内に火災検知機１１３を配置し、該火災検知機１１３が火災を検知したときに二酸化炭素噴射装置の複数のノズル１１４…１１４から二酸化炭素を前記発電室１１２内に噴射して迅速に火を消すことができるようにしたものが知られている。前記エンクロージャ１０１は、吸気口１０６と排気口１０７を備えている。そして、前記吸気口１０６からエンクロージャ１０１内に吸入された空気の一部は、エアーフィルタ１０８を介して前記エンジン１０３に供給される。また、前記吸気口１０６からエンクロージャ１０１内に吸入された空気の一部は、前記ファン１０５でラジエータ１０４に吹き付けられた後に前記排気口１０７からエンクロージャ１０１外に排出される。なお、１０９は、エンジン１０３の排気ダクトであり、その先端の排気口１０９ａは、前記発電室１１２の屋外に配置されている。なお、発電設備の消火装置として、例えば特許文献１が知られているが、これは発電設備のエンジンから発生した二酸化炭素を利用して他の場所の火災を消火しようというものであって、消火剤として二酸化炭素が噴射された場合においてもエンジンを継続的に稼動させるためのものではない。
【特許文献１】特開平９−２６２３０７号公報（段落０００７〜段落００１１等）
【発明の開示】
【発明が解決しようとする課題】
【０００３】
ところで、上述の発電設備にあっては、次に述べるような問題点があった。
（１）発電室１１２内で火災が発生すると、発電室１１２内の二酸化炭素が増加し、発電室１１２内の空気の酸素濃度が低下した状態でエンジン１０３に供給されて所謂酸素不足によりエンジン１０３が停止してしまう。
（２）前記火災がエンジン１０３から発生したものであれば、エンジン１０３が停止することも止むを得ないが、火災が発生していないのにもかかわらず前記火災検知機１１３の誤作動等により二酸化炭素が噴射してしまった場合や二酸化炭素の噴射により所謂小火で収まった場合等には、発電室１１２内から二酸化炭素を素早く除去しないとエンジン１０３が酸素不足により停止し、給電がストップしてしまう。
【０００４】
本発明の目的は、発電室内で火災が発生した場合でも発電機による発電を直ちに停止させる必要のない場合には、前記発電室内に二酸化炭素が充満している場合においても、発電室の外部から外気を取り入れて発電機に供給することにより前記発電機による発電を継続させることのできる発電設備を提供することにある。
【０００５】
また、本発明の他の目的は、発電室内に火災検知機および該火災検知機が火災を検知したときに二酸化炭素を前記発電室内に噴射する二酸化炭素噴射装置を備えた発電設備において、火災検知機の誤作動等により二酸化炭素噴射装置のノズルから二酸化炭素が発電室内に噴射されて発電室内に二酸化炭素が充満している場合においても前記発電機による発電を継続できる発電設備を提供することにある。
【０００６】
また、本発明の他の目的は、エンジン用のエアーフィルタの取付け、取外しを容易に行うことのできる発電設備を提供することにある。
【課題を解決するための手段】
【０００７】
請求項１の発明は、エンクロージャ内に発電機、エンジン、ラジエータを内臓した発電装置を発電室内に設置した発電設備において、前記エンジンの吸気部に吸気ダクトを接続し、該吸気ダクトを、前記エンクロージャおよび発電室を貫通させて、その先端の吸気口を前記発電室の屋外に配置した。
【０００８】
請求項２の発明は、請求項１に記載の発電設備において、前記発電室内に火災検知機および該火災検知機が火災を検知したときに前記発電室内に二酸化炭素を噴射する二酸化炭素噴射装置を設けた。
【０００９】
請求項３の発明は、請求項１または請求項２に記載の発電装置において、前記エンジンの吸気口から吸い込んだ外気を濾過するエアーフィルタを前記エンクロージャの外部に配置した。
【発明の効果】
【００１０】
（１）請求項１の発電設備は、発電室の外部から外気を取り入れて発電機に供給する構成にしたので、発電室内で火災が発生してした場合でも発電機による発電を直ちに停止させる必要のない場合には、前記発電室内に二酸化炭素が充満している場合でも、発電室外の空気により前記発電機による発電を継続させることができる。
（２）請求項２の発電設備は、火災検知機の誤作動等により二酸化炭素噴射装置から二酸化炭素が発電室内に噴射されて発電室内に二酸化炭素が充満している場合においても、前記発電室の屋外に開口する吸気ダクトを介して外気を発電機に供給して発電を継続することができる。
（３）請求項３の発電設備は、エンクロージャの外部にエンジンのエアーフィルタを配置したので、従来のエンクロージャの内部にエンジンのエアーフィルタを配置する場合に比べてエアーフィルタの取付け作業や、交換作業が容易になる。また、エンクロージャの内部にエンジンのエアーフィルタを配置する場合に比べて、エアーフィルタの設置スペースを広く取ることができ、大型で高性能のエアーフィルタを配置することが可能になる。
【発明を実施するための最良の形態】
【００１１】
図１は本発明の発電設備１の略示的説明図である。本発明の発電設備１は、エンクロージャ２内に発電機３、エンジン４、ラジエータ５、ファン６等を内臓した発電装置１１を発電室１２内に設置すると共に該発電室１２内に火災検知機１３を配置し、該火災検知機１３が火災を検知したときに二酸化炭素噴射装置の複数のノズル１４…１４から二酸化炭素を前記発電室１２内に噴射して迅速に火を消すことができるようになっている。前記エンクロージャ２は、吸気口７と排気口８を備えている。前記吸気口７からエンクロージャ２内に吸入された空気は、前記ファン６でラジエータ５に吹き付けられた後に前記排気口８からエンクロージャ２の外部に排出される。
【００１２】
前記エンジン４の吸気部４ａには吸気ダクト２１が接続されている。前記吸気ダクト２１は、前記エンクロージャ２の周壁２ａおよび前記発電室１２の天井１２ａを貫通して、その先端の吸気口２１ａが前記発電室１２の屋外に配置されている。
【００１３】
前記吸気ダクト２１の吸気口２１ａから吸い込んだ外気を濾過するエアーフィルタ２２は、前記エンクロージャ２の周壁２ａの外側で、且つ前記発電室１２内に配置されている。前記エアーフィルタ２２は、前記吸気ダクト２１の途中に組み付けられている。
【００１４】
なお、２３は、エンジン４の排気部４ｂに接続された排気ダクトであり、その先端の排気口２３ａは、前記吸気ダクト２１の吸気口２１ａと同様に前記発電室１２の屋外に配置されている。
【００１５】
次に、前記発電設備１の作用について説明する。火災の発生により発電室１２内に二酸化炭素が充満している場合においても、発電機３による発電を継続させたい場合には、前記吸気ダクト２１の先端の吸気口２１ａから発電室１２の屋外の外気をエンジン４に供給するので発電を継続して行うことができる。
【００１６】
前記発電設備１が消火装置としての火災検知機１３と二酸化炭素噴射装置を備えていて、火災の発生と同時に前記二酸化炭素噴射装置が作動して発電室１２内が二酸化炭素で満たされて無酸素状態になった場合でも前記吸気ダクト２１の先端の吸気口２１ａから発電室１２の屋外の外気をエンジン４に供給するので発電を継続させることができる。また、火災検知機１３の誤作動により発電室１２内に二酸化炭素が噴射された場合でも前記と同様に発電機３による発電を継続させることができる。なお、図２に示すように、前記吸気ダクト２１の途中に切換弁２４等を介して前記発電室１２やエンクロージャ２内に開口する第２の吸入口２１ｂを設け、通常（緊急時以外）は、前記第２の吸入口２１ｂから前記発電室１２やエンクロージャ２内の空気を取り入れ、火災感知器が作動した場合に前記切換弁２４等を切換えて前記第２の吸入口２１ｂから空気の取り入れを遮断し、前記吸気ダクト２１の先端の吸気口２１ａから外気を取り入れる構成にしてもよい。
【図面の簡単な説明】
【００１７】
【図１】本発明の発電設備の略示的説明図。
【図２】本発明の発電設備の変形例の略示的説明図。
【図３】従来の発電設備の略示的説明図。
【符号の説明】
【００１８】
１…発電設備
２…エンクロージャ
３…発電機
４…エンジン
５…ラジエータ
６…ファン
７…エンクロージャの吸気口
８…エンクロージャの排気口
１１…発電装置
１２…発電室
１３…火災検知機
１４…二酸化炭素噴射装置のノズル
２１…吸気ダクト
２１ａ…吸気口
２２…エアーフィルタ
【図１】
2006194226.tif 000003
【図２】
2006194226.tif 000004
【図３】
2006194226.tif 000005